【事件の表示】
　平成　５年特許願第２４６１１３号「フォーカスサーボ装置」拒絶査定に対する審判事件［平成　７年　３月２０日出願公開、特開平　７−　７８３４３］について、次のとおり審決する。
【結　論】
　本件審判の請求は、成り立たない。
【理　由】
１．手続の経緯・本願発明
　本願は、平成５年９月８日の出願であって、その請求項１乃至３に係る発明は、平成１２年８月３１日付及び平成１４年４月５日付の各手続補正よって補正された明細書及び図面の記載からみて、特許請求の範囲の請求項１乃至３に記載されたとおりのものと認められるところ、その請求項１の記載は以下のとおりである。
「フォーカスサーチ動作によりフォーカスポイントを検出してフォーカス引込動作を実行し、フォーカスサーボを実行するようになされたフォーカスサーボ装置において、
　ディスク盤面と接離する方向に駆動される対物レンズを備え、
　前記フォーカスサーチ動作時にフォーカス引込動作に失敗した場合、外部からの振動及び又は衝撃の影響により前記対物レンズがサーチ波形とは無関係に移動したことによりフォーカスポイントに入ったらフォーカス引込動作を実行することができるように構成された制御手段を備えたことを特徴とするフォーカスサーボ装置。」（以下、「本願発明」という）
　
２．引用文献
　原審において、平成１４年２月１日付の拒絶理由の理由１および２で引用された特開昭６０−１１９６４０号公報（以下「引用文献」という）には、フォーカスサーチ動作時に引込みに失敗した場合にも、短時間で引込みができるオートフォーカス初期引込装置に関して以下の事項からなる発明が記載されている。
（１）「第１図は、オートフォーカス制御を行う光学式情報読取装置の従来例である。図中、（１）はフォーカスレンズを焦点に導く信号を発生するサーチパルス発生回路、……（８）は、レンズが合焦点にあるとき出力が零になる差動増幅器、（９）はレンズが焦点近傍にある時、一定レベル以上の出力（Ｈレベル）を出すレベル検出器、（１０）は差動増幅器（８）のフォーカスエラー信号とレベル検出器（９）のレベル出力信号に応じてサーチパルス発生回路（１）の制御及び切換スイッチ回路（１１）を制御するコントロール回路、前記切換スイッチ回路（１１）はサーチパルス発生回路（１）の出力と、フォーカスレンズ（５ａ）の状態出力を得た受光素子（６ａ）……の出力を入力とする差動増幅器（８）の出力、即ち、サーボループとを選択し、オートフォーカス制御を行うサーボループの切換えに使用するものである。（１２）はフォーカスエラー信号のＧＮＤレベルより少し上のレベルＶｒｅｆ１をクロスしたことを検出するゼロクロス検出回路である。」（第１頁右下欄第１３行〜第２頁右上欄第２行）
（２）「第５図は、本発明のオートフォーカス制御を行う光学式情報読取装置のオートフォーカス初期引込装置の一実施例である。図中（１）〜（１２）は第１図に示す従来の各構成要素と同一である。（１３）は、レベル検出信号ｆの立ち下りを検出して、フォーカスゼロクロス信号ｄを反転させる極性切換回路、（１４）はフォーカスサーチ命令ａがＬレベルになるとフォーカスサーチ信号を徐々に放電させる充電回路である。」（第４頁左下欄第１７行〜同頁右下欄第５行）
（３）「次に、フォーカスレンズ（５ａ）の上昇時に、サーボによる引込みに失敗し、下降時に成功した場合について説明する。
　フォーカスサーチ命令ａにより、フォーカスサーチ信号ｂ１の振幅が徐々に増加し、フォーカスレンズ（５ａ）が合焦点付近に近付くとレベル検出器（９）の出力ｆが立ち上り、Ｈレベルとなる。更に、合焦点位置にレンズが近付くと、ゼロクロス検出器（８）のフォーカスエラー信号出力ｄが上昇し、ゼロクロス検出回路（１２）の出力ｅは閾値Ｖｒｅｆ１でＨレベルとなる。そして、ゼロクロス点より少し手前の閾値Ｖｒｅｆ１（時刻ｔ０）で、ゼロクロス検出回路（１２）の出力ｅは立ち下り、Ｌレベルとなる。同時に、フォーカスサーチ命令ａが立ち下がるから、充放電回路（１４）のフォーカスサーチ信号ｂ１の振幅が減少に変る。また、切換信号ｇがＨレベルとなり、切換スイッチ回路（１１）は差動増幅器（８）側に切換えられサーボループを形成するが、フォーカスレンズ（５ａ）の上昇スピードが速く、サーボの引込みを振り切って上昇すると、レベル検出器（９）の出力ｆがＬレベルに転じる（時刻ｔ１）。このレベル検出出力ｆの立ち下がりを検出して、極性切換回路（１３）は差動増幅器（８）のフォーカスエラー信号ｄの極性を切換えて、ゼロクロス検出回路（１２）の入力信号を反転する。このとき、差動増幅器（８）の出力は負側にあり、閾値Ｖｒｅｆ１を越えているから、ゼロクロス検出回路（１２）のフォーカスゼロクロス信号ｅがＨレベルとなる。同時に、スイッチ切換信号ｇも立ち下がってＬレベルとなり、切換スイッチ回路（１１）は充放電回路（１４）の放電電圧に比例した信号を、電磁気的アクチュエータ（３）に印加し、降下するフォーカスレンズ（５ａ）をその放電特性に乗せる。このとき、降下するフォーカスレンズ（５ａ）は動摩擦状態であるから、動き易く放電特性に乗り易いから、放電特性に従ってゆっくりと降下してくる。そして、合焦点付近に達すると、レベル検出器（９）が立ち上り、Ｈレベルとなり、フォーカスエラー信号ｄがＧＮＤレベルを横切る直前の閾値Ｖｒｅｆ１でゼロクロス信号ｅが立ち下り（時刻ｔ２）、切換信号ｇが立ち上り、再度切換スイッチ回路（１１）は切換えられサーボループを形成する。この際のフォーカスレンズ（５ａ）の移動速度は速くないから容易にサーボによる引込みが可能となる。」（第５頁右上欄第１６行〜第６頁左上欄第１行）
　
　以上の記載を図面を参照し、フォーカス引込動作失敗後の動作に着目して整理すると、結局、引用文献には、以下のとおりの発明が記載されているものと認められる。
「情報面へ照射光を収束せしめるフォーカスレンズと、
　フォーカスレンズを移動させる電磁気的アクチュエータと、
　電磁気的アクチュエータに印加する電気エネルギーによってフォーカスレンズの移動を制御して情報面へ照射光を収束せしめるためのフォーカスサーボ手段と、
　フォーカスエラー信号のゼロクロス検出器からのゼロクロス信号とレンズが焦点近傍にある時、一定レベル以上の出力（Ｈレベル）を出すレベル検出器からのレベル出力信号に応じてサーチパルス発生回路の制御及びフォーカスサーチ信号によるサーチ動作側とフォーカスエラー信号によるサーボ動作側とを切換える切換スイッチ回路を制御するコントロール回路と
を備え、
　コントロール回路がフォーカスサーチ命令を出力して、サーチパルス発生回路から出力されるフォーカスサーチ信号の振幅を徐々に増加し、対応して上昇する電気エネルギーを電磁的アクチュエータに印加して、フォーカスレンズを上昇させ、合焦付近でのゼロクロス信号の立ち下がりとレベル出力信号のＨレベルで、切換スイッチをフォーカスエラー信号側に切換えて、サーボループを形成するが、フォーカスレンズがサーボ引き込みを振り切って上昇したとき、レベル検出器の出力の立ち下がりに応じて、コントロール回路からのスイッチ切換信号も立ち下がって、切換スイッチ回路がサーチ動作側に切換えられ、フォーカスサーチ信号を充放電する充放電回路の放電特性によって下降する電圧に対応した電気エネルギーが電磁気的アクチュエータに印加され、フォーカスレンズがゆっくり下降して合焦点付近に達すると、レベル出力信号がＨレベルに立ち上がり、フォーカスエラー信号がＧＮＤレベルを横切る直前の閾値でゼロクロス信号が立ち下がることにより、コントロール回路が切換信号を立ち上げ、再度切換スイッチ回路がサーボ動作側に切換えられてサーボループを形成するようにしたオートフォーカス初期引込装置。」
　
３．対比
　本願発明と引用文献に記載された発明を対比する。
　いずれの発明も、いわゆる光学ヘッドのフォーカスサーボ引き込み装置に関するものであって、フォーカス引込動作に失敗してＲＦ信号が所定レベル以下になると、フォーカスサーボループから引込動作に切り替わる点で共通するものである。
　引用文献記載の発明におけるフォーカスレンズ及びコントロール回路が、本願発明の対物レンズ及び制御手段に相当することは明らかであるから両発明は、
［一致点］
「フォーカスサーチ動作によりフォーカスポイントを検出してフォーカス引込動作を実行し、フォーカスサーボを実行するようになされたフォーカスサーボ装置において、
　ディスク盤面と接離する方向に駆動される対物レンズを備え、
　前記フォーカスサーチ動作時にフォーカス引込動作に失敗した場合に、フォーカスポイントに入ったらフォーカス引込動作を実行することができるように構成された制御手段を備えたことを特徴とするフォーカスサーボ装置。」
である点で、一致し、
［相違点］
　フォーカス引込動作に失敗後の制御手段の動作について、本願発明では、「外部からの振動及び又は衝撃の影響により対物レンズがサーチ波形とは無関係に移動したことによりフォーカスポイントに入ったらフォーカス引込み動作を実行することができるように構成する」としているのに対して、引用文献に記載の発明では、外部からの振動等に対する動作態様については、表現・規定していない点で一応の相違が認められる。
　
４．相違点に対する判断
　以下、相違点について検討する。
　本願発明は、
「外部からの振動及び又は衝撃の影響により前記対物レンズがサーチ波形とは無関係に移動したことにより」フォーカスポイントに入ったらフォーカス引込動作を実行できるように構成するとしてはいるが、本願明細書の記載によれば、「外部からの振動及び又は衝撃」や「対物レンズがサーチ波形とは無関係に移動した」こと自体を検知しているものではなく、ＲＦ信号レベルの低下によってフォーカス引込動作に失敗したと判断された後、振動などを含めて移動の原因には無関係に、対物レンズが「フォーカスポイントに入ったこと」を検知して、フォーカス引込動作を実行する構成とすることによって、「外部からの振動及び又は衝撃の影響により対物レンズがサーチ波形とは無関係に移動したことによりフォーカスポイントに入ったらフォーカス引込み動作を実行することができる」ようにしたものであると認められる。
　これに対し、引用文献に記載された発明も、フォーカス引込動作に失敗した場合の対処手段として、ＲＦ信号が低下すると切換スイッチ回路１１が初期状態に戻り、その後の対物レンズの下降時に、ＲＦ信号出力レベルが立ち上がって、Ｈレベルとなった状態で、ゼロクロス検出回路の出力のゼロクロス信号が立ち下がると、切換信号が立ち上がり、再度切換スイッチ回路が切換えられてサーボループを形成するものである。
　即ち、サーボループを形成する切換スイッチ回路の切換信号は、レベル検出器の出力の立ち上がりとゼロクロス信号の立ち下がりを条件として、コントロール回路が出力するものであって、この条件の成立を以て、コントロール回路は、フォーカスポイントに入ったとして、フォーカス引込み動作を実行しているものであるから、フォーカス引込み動作失敗後の動作において、本願発明の構成に格別の差異は認められない。
　そして、引用文献に記載された発明においても、電磁気的アクチュエータへ印加される電気エネルギーの状態とは無関係にフォーカスレンズが移動するほどの振動等が加わったとき、その影響でフォーカスレンズがフォーカスポイントを通過すれば、レベル検出器の出力の立ち上がりとゼロクロス信号の立ち下がりも当然に生じることであり、この時コントロール回路は、フォーカスポイントに入ったとして、フォーカス引込み動作を実行することは、当然に起こることということができる。
　結局、本願発明でいうフォーカス引込動作に失敗後の、フォーカス引込み動作のための処理について、「外部からの振動及び又は衝撃の影響により前記対物レンズがサーチ波形とは無関係に移動したことによりフォーカスポイントに入ったらフォーカス引込み動作を実行する」としたことは、引用文献記載の発明においても、その構成で、当然に得られる動作であり、両発明の構成に実質的な差異はない。
　また、本願発明も引用文献に記載された発明も、対物レンズの駆動手段に関わらずフォーカス引込みが可能である点、および、フォーカス引込動作の失敗後にサーチ波形が印加されている点で共通するものであるとともに、その使用形態を限定しているものではないことから、フォーカス引込動作の失敗後の再フォーカス引込動作において、対物レンズの駆動力として外部からの振動または衝撃がある可能性を否定できない点でも共通するものであり、引用文献に記載された発明も対物レンズの駆動手段に関わらずフォーカスポイントに入ったらフォーカス引込みが可能であることは明らかであるから、対物レンズの駆動力として、フォーカスサーボ装置の構成の相違を特定することのできない、「外部からの振動または衝撃によりサーチ波形とは無関係に移動」した場合を条件とすることによって格別な効果の相違を有するものとも認められない。
　よって、この点の相違は、フォーカスサーボ装置としての構成の相違ではなく、ディスク状記録媒体の通常の使用時の可能性に過ぎないものであって、音楽再生装置として普通に知られた使用形態である可搬型などのように、当業者が容易に想到し得る程度のことと認められる。
　したがって、本願請求項１に係る発明は、引用文献に記載された発明と同一、または、引用文献に記載された発明に基づいて当業者が容易に発明をすることができたものと認められる。
　
５．むすび
　以上のとおりであるから、本願は、特許法第２９条第１項第３号の規定に該当し、または、同法第２９条第２項の規定により、特許を受けることができない。
　よって、結論のとおり審決する。